(57)【要約】【目的】自己のＷｅｂサイトを持たない者であっても、参加可能であって、バナー等のアイテムを設定することなく、より簡単に商品広告ページへのリンクをＷｅｂページ上に設定することができ、かつ、より効果的にユーザによるクリックを誘導できる広告方法を提供する。【構成】会員データベース１４１には、ユーザの個人情報が、また、商品データベース１４３には、商品名を含む商品情報が、記憶されている。サーバプログラム１３１に従って動作するＣＰＵ１１は、ネットワークを通じて各端末へと掲示板ページを提供し、ユーザから掲示板ページに表示させる発言データを受信するとその発言データを形態素分析する。そして、ＣＰＵ１１は、形態素分析によって得られた単語と一致する商品名を含む商品情報を商品データベース１４３から検索し、商品情報があった場合には、商品ページへのリンクを発言データ中の単語に設定する。【選択図】  図１
2004295267.tif 000002
【特許請求の範囲】
【請求項１】
各端末とネットワークを介して通信するサーバ装置によって商品の広告を前記各端末に対して行うための広告方法であって、
商品名を含む商品情報を前記記憶装置に記憶しておき、
前記端末からの要求に応じて前記通信を通じて各端末に掲示板ページを表示させるための掲示板データを送信し、
前記通信を通じて各端末から前記掲示板ページに表示させるための発言データを受信した場合に、当該発言データを前記掲示板データに追加するとともに当該発言データを形態素分析し、
前記形態素分析によって得られた単語と一致する商品名を含む商品情報を前記記憶装置に記憶されている前記商品情報の中から検索し、
いずれかの商品情報が検出された場合には、検出された各商品情報を表示する商品ページへのリンクを、前記掲示板データに追加される前記発言データ中の当該単語に設定する
ことを特徴とする広告方法。
【請求項２】
前記サーバ装置は、更に、
前記各端末を操作する前記ユーザの個人識別情報を含む個人情報を前記記憶装置に記憶させ、
前記通信を通じて、前記記憶装置に個人情報が記憶されている前記ユーザの端末から前記発言データを受信した場合にのみ、当該発言データを形態素分析させる
ことを特徴とする請求項１記載の広告方法。
【請求項３】
前記サーバ装置は更に、
前記商品情報と、当該商品情報に対応する商品を販売する販売者の販売者情報とを対応付けて記憶装置に記憶しておき、
前記形態素分析によって得られた前記単語と一致する商品名を含む商品情報を前記記憶装置に記憶されている前記商品情報の中から検索し、
当該単語と一致する商品名を含む商品情報があった場合には、当該商品情報と、当該商品情報に対応する商品を販売する前記販売者の前記販売者情報とを表示する商品ページへのリンクを前記発言データ中の当該単語に設定する
ことを特徴とする請求項１及び２記載の広告方法。
【請求項４】
各端末とネットワークを介して通信するサーバ装置によって商品の広告を前記各端末に対して行うための広告方法であって、
商品名を含む商品情報を前記記憶装置に記憶しておき、
前記通信を通じて各端末からウェッブページ上にテキストを表示させるためのテキストデータを受信した場合に、当該テキストデータを形態素分析し、
前記形態素分析によって得られた単語と一致する商品名を含む商品情報を前記記憶装置に記憶されている前記商品情報の中から検索し、
いずれかの商品情報が検出された場合には、検出された各商品情報を表示する商品ページへのリンクを、前記テキストデータ中の当該単語に設定し、
当該テキストデータを各端末からアクセス可能な状態に加工する
ことを特徴とする広告方法。
【請求項５】
各端末とネットワークを介して通信するコンピュータに対して、
商品名を含む商品情報を前記記憶装置に記憶させ、
前記端末からの要求に応じて前記通信を通じて各端末に掲示板ページを表示させるための掲示板データを送信させ、
前記通信を通じて各端末から前記掲示板ページに表示させるための発言データを受信した場合に、当該発言データを前記掲示板データに追加させるとともに当該発言データを形態素分析させ、
前記形態素分析によって得られた単語と一致する商品名を含む商品情報を前記記憶装置に記憶されている前記商品情報の中から検索させ、
いずれかの商品情報が検索された場合には、検索された各商品情報を表示する商品ページへのリンクを前記掲示板データに追加される前記発言データ中の当該単語に設定させる
ことを特徴とする広告プログラム。
【発明の詳細な説明】
【０００１】
【発明の属する技術分野】
本発明は、インターネットにおける広告技術に、関する。
【０００２】
【従来の技術】
周知のとおり、インターネット上の広告システムとして、バナー広告を用いたものがある。こういったバナー広告を用いた広告システムは、Ｗｅｂサイトを閲覧しているゲストが、Ｗｅｂサイトに表示された看板型（帯状）の広告であるバナー広告をクリックすると、リンク先である広告主のＷｅｂページが表示されるという仕組みになっている。バナー広告は、バナー自体が広告としての価値を持つばかりでなく、バナーをクリックしたユーザを広告主が主催するサイトへと直接呼び込むことができるので、非常に効果の高い広告システムとして広く普及した。また、バナー広告による広告システムは、その報酬支払い方法によって大きく分類されている。具体的には、そのバナー広告の表示回数に応じてバナーを表示したＷｅｂサイトの管理者へ報酬を支払う「インプレッション保証型」の広告システムや、実際にユーザによってクリックされた回数に応じて報酬を支払う「クリック保証型」の広告システムがある。
【０００３】
しかしながら、近年においては、バナー広告におけるクリックスルーレート（Ｃｌｉｃｋ  Ｔｈｒｏｕｇｈ  Ｒａｔｅ：ユーザがバナーをクリックしてその内容を閲覧する率）が急速に下がり、また、成果が上がったら広告料を支払う「成果報酬」という考え方が広告主である企業の中に浸透しつつある。
【０００４】
そこで、インターネットを利用した新たな広告システムとして、Ｗｅｂサイトやメールマガジンに企業や商品をアピールするページへのリンクをはり、ユーザがそのリンクを経由して商品を購入したり契約を結んだりすると、その件数に応じてＷｅｂサイトの管理者（アフィリエイト）へ報酬を支払う「成果保証型」の広告システムであるアフィリエイトシステムが、普及している。このアフィリエイトシステムは、基本的には取引成立後に報酬の支払いが生じるため、広告費用が削減されるので、企業（マーチャント）にとって非常に安全性の高いシステムである。
【０００５】
【発明が解決しようとする課題】
しかしながら、成果保証型のアフィリエイトシステムによって広告費用の削減が実現できても、クリックスルーレート自体が低下しているため、依然、広告効果は低いままである。そこで、ユーザのクリックをより多く誘うための工夫（例えば、ホームページ内に商品の推薦文を掲載する等）が、各々のアフィリエイトによってなされていたが、その成果の程度は各アフィリエイトによってまちまちであり、より効果的な広告システムが必要となっていた。
【０００６】
また、アフィリエイトとしてアフィリエイトシステムに参加するには、企業や商品をアピールするページへのリンクを貼るスペースが必要であるため、自己のホームページやメールマガジン等のＷｅｂサイトを所有していることが必須条件であった。
【０００７】
さらに、一つのサイトに多数のバナーが設置されていると閲覧するゲストに対して煩雑な印象を与えてしまうため、多数のマーチャントとアフィリエイト契約を結んだサイト管理者が、アフィリエイトとして登録はしたものの実際にバナー等のリンクをそのホームページに貼らないという新たな問題も、起こりつつある。
【０００８】
本発明は、上述した従来技術の問題点に鑑みてなされたものであり、自己のＷｅｂサイトを持たない者であっても、参加可能であって、バナー等のアイテムを設定する作業をしなくても、より簡単に商品広告ページへのリンクをＷｅｂページ上に設定することができ、かつ、より効果的にユーザによるクリックを誘導できる広告方法の提供を、その課題とする。
【０００９】
【課題を解決するための手段】
上記課題を解決するために、本発明の広告方法は、各端末とネットワークを介して通信するサーバ装置によって商品の広告を前記各端末に対して行うための広告方法であって、商品名を含む商品情報を前記記憶装置に記憶しておき、前記端末からの要求に応じて前記通信を通じて各端末に掲示板ページを表示させるための掲示板データを送信し、前記通信を通じて各端末から前記掲示板ページに表示させるための発言データを受信した場合に、当該発言データを前記掲示板データに追加するとともに当該発言データを形態素分析し、前記形態素分析によって得られた単語と一致する商品名を含む商品情報を前記記憶装置に記憶されている前記商品情報の中から検索し、いずれかの商品情報が検出された場合には、検出された各商品情報を表示する商品ページへのリンクを、前記掲示板データに追加される前記発言データ中の当該単語に設定することを特徴としている。
【００１０】
上記のような方法によると、会員として登録したユーザの端末から送信された発言データは、形態素分析されて、その形態素分析された発言データ中に含まれている単語に商品名が一致する時は、その商品名に対応する商品情報を表示するための商品ページへのリンクが、その単語に設定される。そのため、本発明の広告方法によると、自己のＷｅｂサイトを持たない者であっても、参加可能であって、より簡単に商品広告ページへのリンクをＷｅｂページ上に設定することができ、かつ、より効果的にユーザによるクリックを誘導できる。
【００１１】
なお、この場合商品は、例えばサービスであっても良いし、企業イメージ等であっても良い。即ち、必ずしも、売買契約を派生させるような物でなくても良い。
【００１２】
さらに、各端末からアクセス可能な状態とは、各端末からそのテキストデータによって表示される文章が閲覧できる状態である。即ち、端末から送信された新たなテキストデータがインターネット上に公開されることであっても良いし、元々インターネット上に公開されていたデータ（例えば掲示板データや、日記を表示させるための日記データ）にテキストデータ（発言データ）が追加されることであっても良い。
【００１３】
【発明の実施の形態】
以下、図面を参照し、本発明による広告方法，及び広告プログラムの実施形態を説明する。なお、以下の説明においては、本発明による広告方法，及び広告プログラムがインターネット上の掲示板に適用された例を挙げる。
【００１４】
図１は、本実施形態による広告方法，及び広告プログラムが実施されるネットワークシステムの概略構成を示す。このネットワークシステムは、インターネットＮを介して相互に接続される一台のサーバ装置１０と多数台のユーザ端末２０（図１においては１台のみ図示）と管理者端末３０とから、構成される。このサーバ装置１０は、インターネットによるアフィリエイトシステムの仲介サービスを実施する業者（以下、「仲介業者」と称する）によって管理運営されており、ウェッブコンテンツ（ＨＴＭＬデータ，その他のデジタルコンテンツ）をインターネット上に公開する装置である。なお、図１においては、説明の都合上、サーバ装置１０を１台のコンピュータとして図示したが、サーバ装置１０が持つとしている各機能が、夫々、サービス提供者によって運営されている別々のコンピュータに分担されていても良いし、個々の機能が複数のコンピュータに分散されて実現されても良い。
【００１５】
これらサーバ装置１０及びユーザ端末２０を接続しているインターネットＮは、ＨＴＴＰプロトコル，ＴＣＰ／ＩＰプロトコル等によってサポートされるコンピュータネットワークである。以下、サーバ装置１０及びユーザ端末２０について、そのハードウェア構成及びソフトウェア構成を、夫々説明する。
【００１６】
まず、サーバ装置１０はバス（データバス及びシステムバス）Ｂによって相互に接続されたＣＰＵ１１，通信アダプタ１２，ＲＡＭ１３，及びハードディスク１４を、有している。これらのうち、ＣＰＵ１１は、このサーバ装置１０全体の制御を行う中央処理装置である。また、通信アダプタ１２は、インターネットＮが構築されている回線（インターネットバックボーン）とのインターフェイスをなす通信装置である。また、ＲＡＭ１３は、ＣＰＵ１１が各種処理を実行するに際しての作業領域が展開される主記憶装置（一時記憶装置であるメモリ）である。
【００１７】
ハードディスク１４は、ＣＰＵ１１によって読み出されて実行される各種データを格納している記憶媒体である。このハードディスク１４に格納されているプログラムには、後述する各種データベース（会員データベース１４１，販売者データベース１４２，商品データベース１４３，管理者データベース１４４，及び掲示板データ１４５）が、格納されている。
【００１８】
図２は、会員データベース１４１の具体的なデータ構造を示す表である。この図２に示すように会員データベース１４１には、そのアフィリエイトプログラムにアフィリエイトとして登録している各会員毎に、一意に与えられた個人識別情報に相当する会員ＩＤ及びこの会員ＩＤに対応付けられたパスワード，その会員の氏名，住所，電話番号，口座情報等の属性情報，並びに、累計サービスポイント（即ち、現金による報酬の支払いをしない場合に累計されるポイントであり、何らかのサービスや商品に変換可能なポイント）の情報が、必須事項として登録されている（個人情報に相当）。さらに、この会員データベース内に、各会員ごとに、紹介する販売店の優先順位を設定できる紹介販売店優先条件が、任意に登録可能となっている。なお、この紹介販売店優先条件は、予め管理者によって設定されているものから会員によって選ばれて、入力されるものである。
【００１９】
図３は、販売者データベース１４２の具体的なデータ構造を示す表である。この図３に示されるように、販売者データベース１４２には、そのアフィリエイトプログラムにマーチャントとして登録している各販売者（企業）毎に、一意に与えられた販売者ＩＤ及びこの販売者ＩＤに対応付けられたパスワード，その販売者の名称，ｅ−ｍａｉｌアドレス，所在地，電話番号，担当者名，並びに、アフィリエイト会員への報酬の支払い条件を設定した決済条件が、登録されている（販売者情報に相当）。
【００２０】
図４は、商品データベース１４３の具体的なデータ構造を示す表である。この図４に示されるように、商品データベース１４３には、各販売者が販売する各商品毎に一意に与えられた商品コード，その商品の名称，その商品のイメージデータへのリンク（ＵＲＬ）を示す商品イメージデータパス，その商品の説明（特徴や仕様），その商品の販売開始日，販売者（企業）名，商品提供元（メーカー），販売価格及び販売時の手数料，及び、その商品情報をＷｅｂ上に公開可能か否かを設定する公開可否フラグが、登録されている（商品情報に相当）。
【００２１】
管理者データベース１４４には、このアフィリエイトプログラムを管理している仲介業者の管理担当者（以下、「管理者」という）を一意に示す管理者ＩＤと、それに対応付けられたパスワードが登録されている。
【００２２】
掲示板データ１４５は、不特定のユーザが操作するユーザ端末２０から送信されてきた発言内容を示すテキストデータが時系列順に蓄積されてなるデータであり、電子掲示板ページにその内容が表示されるものである。
【００２３】
図１に戻って、ＣＰＵ１１がハードディスク１４からＲＡＭ１３上に読み出して実行するプログラムには、図示せぬオペレーションシステム（ＯＳ）プログラムの他、各種プログラム（サーバプログラム１３１，及び、認証プログラム１３２）が、含まれている。
【００２４】
オペレーションシステムプログラムは、サーバ装置１０を構成する各ハードウェアを制御する機能や、インターネットに対する通信機能（即ち、ＴＣＰ／ＩＰに従った通信機能）を実現する基本プログラムである。
【００２５】
サーバプログラム１３１は、このアフィリエイトシステムを実施するためのプログラム群（ユーザ端末２０から送信されたＨＴＴＰリクエストに対する処理を実行するＷＷＷサーバプログラム，及び多数のＣＧＩプログラムから構成される）である。
【００２６】
認証プログラム１３２は、サーバプログラム１３１からの要求に応じて、ユーザ端末２０へ各種ＩＤ（会員ＩＤ，販売者ＩＤ，及び管理者ＩＤ）及びパスワードを問い合わせる画面のＷｅｂデータを送信するとともに、その画面に入力された各種ＩＤ及びパスワードの組み合わせが対応する各種データベース（会員データベース１４１，販売者データベース１４２，及び、管理者データベース１４４）に登録されているか否かに基づいた認証結果を、サーバプログラム１３１に応答するプログラムである。
【００２７】
次に、図１に示されたユーザ端末２０は、一般的なインターネットアクセス可能なパーソナルコンピュータであり、互いにバスＢによって接続されたＣＰＵ２１，通信アダプタ２２，ＲＡＭ２３，ハードディスク２４，入力装置２５，及びディスプレイ２６から、構成されている。
【００２８】
ＣＰＵ２１は、ハードディスク２４に格納されている各種プログラムを順次ＲＡＭ２３上に読み出して実行することによってその処理結果をディスプレイ２６上に表示する処理装置である。
【００２９】
通信アダプタ２２は、ＣＰＵ２１による制御に従ってＣＰＵ２０から受け取った信号をインターネットが構築されている物理回線に適した信号形態に変換するとともに、インターネットから受信した信号をＣＰＵ２１が処理可能な信号形態に変換するモデム等の装置である。
【００３０】
入力装置２５は、ＣＰＵ２１が上記プログラムに従った処理を実行する際にオペレータが各種命令を入力するためのマウス等のポインティングデバイスやキーボードである。
【００３１】
ＣＰＵ２１がＲＡＭ２３上に読み出して実行するプログラムには、図示せぬオペレーションシステム（ＯＳ）の他。ブラウザプログラム２３１がある。ブラウザプログラム２３１は、ＣＰＵ２１によって読み出されて実行されることによって、入力装置２５を介して入力または指定された情報を格納したＨＴＴＰリクエストメッセージをインターネットＮ経由でサーバ装置１０へ送信するとともに、このＨＴＴＰリクエストメッセージに対応してインターネット経由で受信したＨＴＴＰレスポンスメッセージに格納されたウェブコンテンツ（ＨＴＭＬデータ等）に基づいて、ディスプレイ２６上に画面表示を行う。
【００３２】
なお、図１に示された管理者端末３０は、上記ユーザ端末２０と同様のハードウェア構成を有するコンピュータである。
（処理内容）
次に、上記したサーバプログラム１３１に基づいてサーバ装置１０のＣＰＵ１１が実行する処理を、図５乃至図１０のフローチャート，及び，図１１乃至図１７の画面例に基づいて説明する。
（会員データ登録）
まず、各ユーザがアフィリエイトとして会員登録する際にサーバプログラム１３１に基づいてＣＰＵ１１が実行する処理を示す。なお、アフィリエイトとして会員登録するユーザは、従来のアフィリエイトシステムのように各個人サイトの管理者であってもよいし、自らのホームページを持たないユーザであってもよい。
【００３３】
ブラウザプログラム２３１が起動されたユーザ端末２０が会員登録処理ページのＵＲＬを指定したリクエストメッセージを送信してくると、ＣＰＵ１１は、サーバプログラム１３１を起動して、図５のフローチャートに示す会員登録処理を開始する。この処理がスタートしてから最初のＳ００１では、ＣＰＵ１１は、会員データ登録の際に必要な個人情報（即ち、会員ＩＤ，パスワード，氏名，住所，電話番号，口座情報，累計サービスポイント，紹介販売店優先条件）入力用のテキストボックスを含む会員登録処理ページを表示させるためのＷｅｂページデータ（ＨＴＭＬデータ）をユーザ端末２０に応答する。そして、ＣＰＵ１１は、ユーザ端末２０から会員登録処理ページにおける各テキストボックスに入力された文字列である個人情報が送信されるのを待ち、個人情報を受信すると、その処理を次のＳ００２へと進める。
【００３４】
Ｓ００２では、ＣＰＵ１１は、Ｓ００１にて受信した個人情報を会員データベース１４１に登録する。Ｓ００２を完了すると、ＣＰＵ１１は、全処理を完了する。
（販売者データ登録）
次に、各販売者がマーチャントとして販売者データベースにデータを登録する際にサーバプログラムに基づいてＣＰＵ１１が実行する処理を示す。
【００３５】
ブラウザプログラム２３１が起動されたユーザ端末２０が販売者登録処理ページのＵＲＬを指定したリクエストメッセージを送信してくると、ＣＰＵ１１は、サーバプログラム１３１を起動して、図６のフローチャートに示す販売者登録処理を開始する。この処理がスタートしてから最初のＳ０１１では、ＣＰＵ１１は、販売者データ登録の際に必要な販売者情報（即ち、販売者ＩＤ，パスワード，販売者名，ｅ−ｍａｉｌアドレス，所在地，電話番号，担当者，決済条件）入力用のテキストボックスを含む会員登録処理ページを表示させるためのＷｅｂページデータ（ＨＴＭＬデータ）をユーザ端末２０に応答する。そして、ＣＰＵ１１は、ユーザ端末２０から販売者データ登録処理ページにおける各テキストボックスに入力された文字列である販売者情報が送信されるのを待ち、販売者情報を受信すると、その処理を次のＳ０１２へと進める。
【００３６】
次のＳ０１２では、ＣＰＵ１１は、Ｓ０１１にて受信した販売者情報を販売者データベース１４２に登録する。Ｓ０１２を完了すると、ＣＰＵ１１は、全処理を完了する。
（商品データ登録）
商品データベースに各商品データを登録する際にＣＰＵ１１が、サーバプログラム１３１に基づいて実行する処理を、図７及び図８のフローチャートを用いて示す。なお、商品データベースへの登録は、各販売者が独自に行ってもよいし、各販売者に依頼された管理者が行ってもよいが、データベースに登録された商品の公開を許可するか否かは、管理者によって設定される。
【００３７】
ユーザ端末２０が商品データ登録処理ページのＵＲＬを指定したリクエストメッセージを送信してくると、ＣＰＵ１１は、サーバプログラム１３１を起動して、図７のフローチャートに示す商品データ登録処理をスタートする。
【００３８】
この商品データ登録処理がスタートしてから最初のＳ１２１では、ＣＰＵ１１は、認証プログラム１３２に対して認証を依頼する。すると、認証プログラム１３２は、認証画面を表示させるためのＷｅｂページデータをユーザ端末２０へ送信する。このＷｅｂページデータには、ＩＤ欄，パスワード欄，及び「ＯＫ」ボタンを表示させるための記述が含まれているとともに、「ＯＫ」ボタンがクリックされた時にＩＤ欄及びパスワード欄にそれぞれ入力されている二つの文字列を販売者のＩＤ及びパスワード，または、管理者のＩＤ及びパスワードとしてサーバ装置１０へ送信させるためのタグが、組み込まれている。このＷｅｂページデータを送信したユーザ端末２０から認証情報であるＩＤ及びパスワードを受信した場合、認証プログラム１３２は、まず、そのＩＤ及びパスワードの組み合わせが管理者データベース１４４に登録されているか否かをチェックし、管理者データベース１４４に登録されていれば「管理者認証ＯＫ」を、管理者データベース１４４に登録されていなければ、販売者データベース１４２に登録されているか否かをチェックし、販売者データベース１４２に登録されていれば「販売者認証ＯＫ」を、どちらのデータベースにも登録されていなければ「認証ＮＧ」をＣＰＵ１１に応答する。
【００３９】
そして、ＣＰＵ１１は、次のＳ１２２において、応答の内容をチェックし、応答が「管理者認証ＯＫ」であれば、その処理を図８のフローチャートにて後述するＳ１２９に進める。これに対して、応答が「販売者認証ＯＫ」であれば、ＣＰＵ１１は、処理をＳ１２３へ進める。なお、フローチャートには示していないが、応答が「認証ＮＧ」であれば、ＣＰＵ１１は、警告メッセージを表示するためのＷｅｂページデータをユーザ端末２０へ送信してその処理を終える。
【００４０】
次のＳ１２３では、ＣＰＵ１１は、商品データ登録用の画面を表示させるためのＷｅｂページデータをユーザ端末２０へ送信する。このＷｅｂページデータには、商品データ登録の際に必要な商品の情報（即ち、商品コード，商品名，商品イメージデータパス，商品の説明［特徴・仕様］，販売開始日，販売者，商品提供元［メーカ］，販売価格，手数料）をそれぞれ入力するためのテキストボックスと「送信」ボタンとを表示させるための記述が含まれているとともに、「送信」ボタンがクリックされた時にテキストボックスに入力されている夫々の文字列を商品データとしてサーバ装置１０へ送信されるためのタグが組み込まれている。
【００４１】
そして、このＷｅｂページデータを送信したユーザ端末２０からの商品データを受信すると、ＣＰＵ１１は、次のＳ１２４において、受信した商品データを商品データベース１４３に登録する。
【００４２】
そして、Ｓ１２５で、ＣＰＵ１１は、Ｓ１２４において商品データベース１４３に登録された商品の商品データ中の販売価格レコードと、すでに他の販売者（以下、「競合販売者」とする）によって登録済みの同商品の全商品データ中の販売価格レコードとを、比較する。
【００４３】
そして、同じ商品において競合販売者がより安い価格を設定していた場合、ＣＰＵ１１は、次のＳ１２６において販売者に対してその旨をｅ−ｍａｉｌにて通知して、その処理を終える。
【００４４】
これに対して、同じ商品において競合販売者よりも安い価格を設定していた場合、ＣＰＵ１１は、その処理をＳ１２７へ進める。
【００４５】
Ｓ１２７では、ＣＰＵ１１は、同じ商品においてこの販売者と競合販売者が同じ価格を設定しているのか、競合販売者のほうがより高い価格を設定しているのかを調べ、競合販売者のほうがより高い価格を設定している場合、次のＳ１２８において競合販売者に対してその旨をｅ−ｍａｉｌにて通知して、その処理を終える。これに対して、この販売者と競合販売者の設定価格が同じであった場合には、ＣＰＵ１１はそのままその処理を終える。
【００４６】
一方、Ｓ１２９では、ＣＰＵ１１は、商品登録を行うか行わないかを選択する画面を表示させるためのＷｅｂページデータを管理者端末３０に送信してその応答を待つ。そして、管理者端末３０から商品登録を行うとの選択をされた旨の応答があった場合、ＣＰＵ１１は、その処理をＳ１３０へと進める。
【００４７】
Ｓ１３０では、ＣＰＵ１１は、商品データ登録用の画面を表示させるためのＷｅｂページデータを管理者端末３０へ送信する。このＷｅｂページデータはＳ１２３にて送信されたものと全く同じであるので、この商品データ登録用の画面には、商品データ登録の際に必要な商品の情報をそれぞれ入力するためのテキストボックス，及び、登録した商品データの公開の可否を設定する公開可否フラグのオンオフを選択するためのドロップダウンリストボックスが含まれている。
【００４８】
そして、このＷｅｂページデータを送信した管理者端末３０からの商品データを受信すると、ＣＰＵ１１は、次のＳ１３１において、受信した商品データ中の商品の情報を商品データベース１４３に登録する。
【００４９】
次のＳ１３２で、ＣＰＵ１１は、Ｓ１３１において管理者端末３０から送信された商品データ中の公開可否フラグのオンオフ設定に基づいて、商品データベース中の公開可否フラグをセットすると、その処理を図７のフローチャートにおけるＳ１２５へと進める。
【００５０】
これに対して、Ｓ１２９にて管理者端末３０から商品登録を行わないとの選択をされた旨の応答があった場合、ＣＰＵ１１は、その処理をＳ１３３に進める。
【００５１】
次のＳ１３３で、ＣＰＵ１１は、商品データベース１４３中の商品データのうち公開可フラグがセットされていない（即ち、公開されていない）商品の一覧画面を表示するためのＷｅｂページデータを管理者端末３０へ送信する。なお、この一覧画面中の商品データには、それぞれ商品データの公開の可否を設定する公開可否フラグのオンオフを選択するためのドロップダウンリストボックスが含まれている。
【００５２】
そしてＳ１３４で、ＣＰＵ１１は、このＷｅｂページデータを送信した管理者端末３０から送信されたそれぞれの商品データにおける公開可否フラグのオンオフ設定に基づいて、商品データベース中の公開可否フラグをセットすると、その処理を終了する。
（発言登録処理）
次に、アフィリエイトとしてアフィリエイトシステムに登録している各会員がこのアフィリエイトシステムの掲示板ページに発言をした時において、その発言の文章中における商品名（単語）から商品データへのリンクを貼る際に、サーバ装置１０のＣＰＵ１１が、サーバプログラム１３１に基づいて実行する処理を、図９及び図１０のフローチャートを用いて示す。
【００５３】
ユーザ端末２０がこのアフィリエイトプログラム専用の掲示板ページのＵＲＬを指定したＨＴＴＰリクエストメッセージを送信してくると、ＣＰＵ１１は、サーバプログラム１３１を起動してその処理を開始する。
【００５４】
ＣＰＵ１１が処理を開始して最初のＳ１４１では、ＣＰＵ１１は、図１２に示す認証画面ページを表示させるためのＷｅｂページデータをユーザ端末２０に応答する。図１２に示すように、このＷｅｂページデータには、会員として登録されていないゲスト専用の「入口」ボタン３１と、アフィリエイト会員として登録されている会員用のＩＤ欄３２，パスワード欄３３と、「ＯＫ」ボタン３４とを表示させるための記述が含まれているとともに、「入口」ボタン３１がクリックされた時にクリックされたボタンの種類をパラメータとしてサーバ装置１０へ送信させるアクションと、「ＯＫ」ボタン３４がクリックされた時にＩＤ欄３２及びパスワード欄３３にそれぞれ入力されている二つの文字列を会員の会員ＩＤ及びパスワードとして認証プログラム１３２へ送信させるためのタグとが、組み込まれている。
【００５５】
次のＳ１４２では、ＣＰＵ１１は、このＷｅｂページデータを送信したユーザ端末２０からの応答を待つ。
【００５６】
このＷｅｂページデータを送信したユーザ端末２０からの情報を受信すると、ＣＰＵ１１は、次のＳ１４３において、クリックされたボタンの種別をチェックする。「入口」ボタン３１がクリックされた場合には、ＣＰＵ１１は、常にその処理をＳ１４５へと進める。一方、「ＯＫ」ボタン３４がクリックされた場合には、認証プログラム１３２に対して認証を依頼する。認証プログラム１３２は、そのＩＤ及びパスワードの組み合わせが会員データベース１４１に登録されているか否かをチェックし、会員データベース１４１に登録されていれば「認証ＯＫ」を、会員データベース１４１に登録されていなければ、「認証ＮＧ」をＣＰＵ１１に応答する。そして、Ｓ１４３にてなされた応答が「認証ＮＧ」だった場合、ＣＰＵ１１は、その処理をＳ１４５へと進める。また、認証プログラム１３２からの応答が「認証ＯＫ」だった場合、ＣＰＵ１１は、その処理を次のＳ１４４へと進める。
【００５７】
Ｓ１４４では、ＣＰＵ１１は、ユーザ端末２０に対してクッキーを発行して、次のＳ１４５へと処理を進める。
【００５８】
Ｓ１４５では、ＣＰＵ１１は、図１３に示すような掲示板ページを表示させるためのＷｅｂページデータ（掲示板データに相当）をユーザ端末２０へ送信する。この掲示板ページには、従来の掲示板ページと同様に、名前欄３５，タイトル欄３６，発言の内容を記入するための発言欄３７，「発言」ボタン３８，及び、掲示板データ１４５の内容を一覧表示するための掲示板表示欄３９が含まれているとともに、そのＷｅｂページデータには、「発言」ボタン３８がクリックされた時に発言欄３７に記入された文字列をパラメータとしてサーバ装置１０へ送信させるアクションが組み込まれている。
【００５９】
そこで、ＣＰＵ１１は、次のＳ１４６において、ユーザ端末２０から発言データに相当する文字列（掲示板ページの発信欄３７に入力された文字列）が送信されてくるのを待つ。そして、ユーザ端末２０から文字列を受信すると、ＣＰＵ１１は、次のＳ１４７において、会員が操作するユーザ端末２０からの応答であるか否かをクッキーに基づいてチェックし、応答が会員からのものであった場合は処理をＳ１４８に進め、会員として認証されていないゲスト（非会員）からのものであった場合は処理をＳ１５５に進める。
【００６０】
そして、Ｓ１４８において、ＣＰＵ１１は、ユーザ端末２０から受信した文字列（即ち、発言欄３７に記入された発言内容）の形態素分析を行って、発言内容を単語単位に分解する。
【００６１】
次のＳ１４９では、ＣＰＵ１１は、Ｓ１４８にて形態素分析された各単語と商品データベース１４３中の商品名とのマッチングを行う。
【００６２】
次のＳ１５１では、ＣＰＵ１１は、形態素分析された各単語に対応する商品名あったか否かをチェックし、なかった場合にはその処理をＳ１５５へと進める。これに対して、形態素分析された各単語に対応する商品名があった場合は、ＣＰＵ１１は、Ｓ１５２において、図１４に示すような確認画面ページを表示するためのＷｅｂページデータを、ユーザ端末２０に対して送信する。図１４に示されるように、確認画面ページには、形態素分析された各単語とその単語に対応する商品名及びその商品を扱う販売者名の組み合わせ，夫々の商品名及び販売者名の組み合わせに対応する商品の商品説明ページをリンクさせるか否かを選択するラジオボタン群４０（ａ〜ｆ）及び「送信」ボタン４１が含まれているとともに、そのＷｅｂページデータには、「送信」ボタン４１がクリックされた時にラジオボタン群４０によって選択されている情報をサーバ装置１０へ送信させるためのタグが、組み込まれている。なお、会員データベース１４１における当該会員についてのレコード中の紹介販売店優先条件フィールドにデータ（条件）が登録されていた場合、この確認画面ページにおいては、商品名及びその商品を扱う販売者名の組み合わせは、その優先条件に従った順番で表示される。例えば、紹介販売店優先条件を「販売価格」と設定していた場合には、販売価格の安い順に、商品名及びその商品を扱う販売者名の組み合わせが、表示される。
【００６３】
そして、ＣＰＵ１１は、Ｓ１５３において、確認画面ページのＷｅｂページデータを送信したユーザ端末２０からの応答を待つ。そして、ユーザ端末２０からの応答を受信すると、ＣＰＵ１１は、次のＳ１５４において、ラジオボタン群４０によって選択された商品名及び販売者名の組み合わせに対するリンク（選択された商品名及び販売者名の全組み合わせにそれぞれ対応した１又は複数の商品コード，及び、発言を行った会員のＩＤをパラメータとして通信販売［以下、「通販」と略記する］処理を行うＣＧＩのＵＲＬを指定したアンカータグ）を発言内容の文字列に組み込んだ発言データ（文字列）を生成する。
【００６４】
次のＳ１５５において、ＣＰＵ１１は、Ｓ１５４にて生成した発言データを掲示板データ１４５に追加（即ち、掲示板データ１４５を更新）し、更にこの掲示板データ１４５に基づいて、図１５に示すような新たな掲示板ページを表示させるためのＷｅｂページデータをユーザ端末２０に送信して、その処理を完了する。
【００６５】
以上に説明したように処理が実行されることにより、会員が操作するユーザ端末２０のディスプレイ２６上に表示された掲示板ページの発言欄３７に発言が書き込まれて「発言」ボタン３８がクリックされると、図１５に示すように、何れかの商品名に一致する文字列（図において下線によって示す）にハイパーリンク４２，４３（商品ページへのリンクに相当）が設定された状態で、当該発言が掲示板表示欄３９に追記された掲示板ページが、以後、この掲示板ページにアクセスするユーザ端末２０のディスプレイ２６上に表示される。
【００６６】
なお、非会員からの掲示板に対する書き込み（即ち、掲示板データへの発言データの追加）があった場合は、その発言内容は、従来の掲示板におけるのと同じ態様（即ち、商品名にハイパーリンクが自動設定されない態様）で、掲示板表示欄３９に表示される。
【００６７】
最後に、インターネットを介してこのアフィリエイトシステムによって提供されている掲示板ページを閲覧しているユーザ（会員，非会員）が、掲示板表示欄３９内に設定されているはーパーリンクをクリックすることをトリガとして、サーバ装置１０のＣＰＵ１１がサーバプログラム１３１に従って実行する処理を、図１１のフローチャートを用いて示す。
【００６８】
会員又は非会員が操作しているユーザ端末２０のディスプレイ２６上に表示されている掲示板ページの掲示板欄中のハイパーリンク（リンクが設定された商品名）がクリックされると、ユーザ端末２０は、リンク先ＣＧＩのＵＲＬを指定したＨＴＴＰリクエストメッセージをサーバ装置１０へ送信する。このメッセージを受信したサーバ装置１０のＣＰＵ１１は、このメッセージにおいて指定されたＵＲＬが示すＣＧＩプログラムを起動し、そのＣＧＩプログラムに従った処理（通販処理）を開始する。
【００６９】
ＣＰＵ１１が通販処理を開始して最初のＳ１６１では、ＣＰＵ１１は、当該ＵＲＬにパラメータとして含まれる全商品コード（即ち、クリックされた商品名及びこの商品を販売する販売者に対応付けられた商品コード）及びその商品名を含む発言を掲示板ページに対して行った会員（以下「発言会員」という）の会員ＩＤを、ＲＡＭ１３上に一時的に記憶する。
【００７０】
次のＳ１６２では、ＣＰＵ１１は、Ｓ１６１にて一時記憶された各商品コードを含む全レコードのうち、商品データベース１４３中の公開可否フラグがオンになっているものを商品データベース１４３から抽出し、それらのレコード中の情報を含む商品説明ページを表示させるためのＷｅｂページデータを、生成する。このＷｅｂページデータには、図１６に示す通り、抽出した全レコードに共通する商品名，商品の説明及び商品の写真，並びに、各レコードに夫々含まれる販売価格及び手数料が添記されるとともに販売者名が示された「販売者名」ボタン４４，４５を表示させるための記述と、各「販売者名」ボタン４４，４５がクリックされた時にそのボタン４４，４５に表示されている「販売者名」をサーバ装置１０へ送信させるアクションとが、組み込まれている。そして、ＣＰＵ１１は、次のＳ１６３において、Ｓ１６２にて生成した商品説明ページ（商品ページに相当）を表示させるためのＷｅｂページデータを、ユーザ端末２０へ送信する。
【００７１】
次のＳ１６４では、ＣＰＵ１１は、このＷｅｂページデータを送信したユーザ端末２０からの応答を待つ。このユーザ端末２０においていずれかの「販売者名」ボタン４４，４５が押下されたことによって送信されてきた販売者名を受信すると、ＣＰＵ１１は、次のＳ１６５において、ユーザ端末２０から受信した販売店名に基づいて、図１７に示すような商品購入ページを表示させるためのＷｅｂページデータを生成し、ユーザ端末２０へ送信する。図１７に示すように、この商品購入ページには、商品名，販売者，販売価格，手数料，消費税，及び合計価格の情報が表示される他、購入者名欄５１，クレジットカード会社を指定するオプションボタン群５２，クレジットカード番号欄５３，住所欄５４，電話番号欄５５，「購入」ボタン５６，及び「キャンセル」ボタン５７が含まれているとともに、このＷｅｂページデータには、「購入」ボタン５６がクリックされた時に各欄（購入者名欄５１，クレジットカード番号欄５３，住所欄５４，電話番号欄５５）に入力されている文字列とオプションボタン群５２によって選択された情報をサーバ装置１０へ送信するためのタグ，及び、「キャンセル」ボタン５７がクリックされた時にその旨をサーバ装置１０へ送信するためのタグが、組み込まれている。
【００７２】
次のＳ１６６では、ＣＰＵ１１は、ユーザ端末２０からの応答を待つ。ＣＰＵ１１は、ユーザ端末２０からの情報を受信すると、クリックされたボタンの種別をチェックして、「キャンセル」ボタン５７が押下された場合、ＲＡＭ上に記憶された商品コード及び会員ＩＤを削除して、この通販処理を終了する。これに対して、「購入」ボタン５６が押下された場合、ＣＰＵ１１は、次のＳ１６７において、パラメータとしてユーザ端末２０から受信した情報に基づいて購入内容確認画面を表示させるためのＷｅｂページデータを生成し、ユーザ端末２０へ送信する。この購入内容確認画面には、購入内容（前述の商品説明ページ画面において選択された販売店での当該商品の販売価格や、商品購入ページの各欄５１〜５５に操作者［会員又は非会員］によって記入された情報等）が再度表示されているとともに、「購入」ボタンと「キャンセル」ボタンとが含まれている。また、このＷｅｂページデータには、クリックされたボタンの種類をパラメータとしてサーバ装置１０へ送信させるアクションが組み込まれている。
【００７３】
このＷｅｂページデータを送信したユーザ端末２０からの情報を受信すると、ＣＰＵ１１は、次のＳ１６８において、クリックされたボタンの種別をチェックし、「キャンセル」ボタン５７が押下されていた場合は、ＲＡＭ上に記憶された商品コード及び会員ＩＤを削除して、その通販処理を終了する。これに対して「購入」ボタンが押下された場合には、ＣＰＵ１１は、次のＳ１６９に処理を進める。
【００７４】
Ｓ１６９では、ＣＰＵ１１は、販売処理を実行する。この販売処理における物流方法及び課金方法の具体的な内容は従来の方法と同一であるので省略するが、課金方法については、クレジットカード決済による後払い，振込による前払い，商品と代金を同時に交換する代金引換，商品到着後の振込または払込票による代金後払い等の方法が用いられても良いし、このアフィリエイトシステムが例えばインターネットサービスプロバイダ（ＩＳＰ）によって運営されており、商品購入者がそのＩＳＰの会員である場合は、そのＩＳＰ会員料金に上乗せして課金される方法を採られても良い。Ｓ１６９の販売処理を完了したＣＰＵ１１は、次のＳ１７０において、図１８に示すような「ありがとう」ページを表示させるためのＷｅｂページデータを、ユーザ端末２０へ送信する。
【００７５】
そして、次のＳ１７１において、ＣＰＵ１１は、ＲＡＭ上に記憶していた発言会員の会員ＩＤに対応する会員の銀行口座を、会員データベース１４１から読み出す。会員データベース１４１中に会員ＩＤに対応する銀行口座情報があった場合には、ＣＰＵ１１は、Ｓ１７２において、発言会員の銀行口座に紹介手数料を払い込むための処理を実行した後に、処理をＳ１７４へ進める。また、会員データベース中に会員ＩＤに対応する銀行口座情報がなかった場合には、ＣＰＵ１１は、Ｓ１７３において、会員データベース中の累積サービスポイント欄に、サービスポイントを加算した後に、処理をＳ１７４に進める。
【００７６】
そして、Ｓ１７４において、ＣＰＵ１１は、販売者に対して、紹介手数料や仲介手数料等の課金をするための処理を実行し、その処理を完了する。
【００７７】
なお、本実施形態において、掲示板からリンクが張られるＷｅｂページは、サーバ装置１０によって作成された商品の説明ページを表示させるためのものとなっているが、マーチャントである企業のＰＲサイトに直接リンクしてもよいし、商品だけではなくサービスの提供ページ等にリンクしても良い。
【００７８】
また、本実施形態においては、リンクが貼られる文章は、掲示板上の発言となっているが、Ｗｅｂ上に表示されるＨＴＭＬ文書中のテキストデータであれば、どのような文書（例えば日記やニュースなど）でも良い。また、その場合、それらのデータが各ユーザ端末２０からサーバ装置１０にアップロード（転送）される際にテキストデータが形態素分析される。そして、その結果得られた単語にリンクが設定されて、インターネット上に公開される（各端末からアクセス可能な状態に加工される）。
【００７９】
さらに、本実施形態においては、会員への報酬の支払いは、商品が売れた後に派生する「成果保証型」となっているが、企業のＰＲサイトへ直接リンクする場合などは「クリック保証型」の方法を採っても良い。
【００８０】
【発明の効果】
以上説明したように、本発明の広告方法，及び広告プログラムによれば、アフィリエイトとして登録した会員が、自己のホームページを持っていなくても、掲示板において発言を行うだけで、その発言から形態素分析された商品名から商品の説明ページへのリンクが自動的に貼られ、しかも、掲示板上で商品をより魅力的に紹介することができる。よって、自己のＷｅｂサイトを持たない者であっても、参加可能であって、バナー等のアイテムを設定することなく、より簡単に商品広告ページへのリンクをＷｅｂページ上に設定することができ、かつ、より効果的にユーザによるクリックを誘導できる。
【図面の簡単な説明】
【図１】本発明の一実施形態としてのネットワークシステムのブロック図
【図２】会員データベースのデータ構造を説明する構成図
【図３】販売者データベースのデータ構造を説明する構成図
【図４】商品データベースのデータ構造を説明する構成図
【図５】会員登録処理を示すフローチャート
【図６】販売者データ登録処理を示すフローチャート
【図７】商品データ登録処理を示すフローチャート
【図８】商品データ登録処理を示すフローチャート
【図９】発言登録処理を示すフローチャート
【図１０】発言登録処理を示すフローチャート
【図１１】通販処理を示すフローチャート
【図１２】認証画面を示す図
【図１３】掲示板画面を示す図
【図１４】確認画面を示す図
【図１５】掲示板画面を示す図
【図１６】商品の説明ページ画面を示す図
【図１７】商品の購入ページ画面を示す図
【図１８】ありがとうページ画面を示す図
【符号の説明】
Ｎ      ネットワーク
Ｂ      バス
１０      サーバ装置
１１      ＣＰＵ
１３      ＲＡＭ
１４      ハードディスク
１４１      会員データベース
１４２      販売者データベース
１４３      商品データベース
１４５      掲示板データ
２０      ユーザ端末
２１      ＣＰＵ
【図１】
2004295267.tif 000003
【図２】
2004295267.tif 000004
【図３】
2004295267.tif 000005
【図４】
2004295267.tif 000006
【図５】
2004295267.tif 000007
【図６】
2004295267.tif 000008
【図７】
2004295267.tif 000009
【図８】
2004295267.tif 000010
【図９】
2004295267.tif 000011
【図１０】
2004295267.tif 000012
【図１１】
2004295267.tif 000013
【図１２】
2004295267.tif 000014
【図１３】
2004295267.tif 000015
【図１４】
2004295267.tif 000016
【図１５】
2004295267.tif 000017
【図１６】
2004295267.tif 000018
【図１７】
2004295267.tif 000019
【図１８】
2004295267.tif 000020